(57)【要約】【課題】操作が簡単で携帯性に優れた護身器具の提供。【解決手段】一端部が閉じた筒形容器１と、その中に配設され対暴漢用液体７が充填された袋状部材６と、筒形容器１の一端部に設けられた火薬などをもつ射出手段９〜１１と、筒形容器１の他端部に、尖った先端部を内側に向け、袋状部材６を破断する破断手段３とを有する。火薬は少量でも充分な射出圧力を発生できるが、対暴漢用液体を充填する容器にも爆発に耐えうる強度が必要になり、そのままでは対暴漢用液体を暴漢に作用できない場合が考えられた。そこで、対暴漢用液体を充填する容器として充分な強度をもつ部材を採用しても確実に内部の液体を噴射できるように、その袋状部材が通過する際に破断する破断手段を新たに設けた。その結果、高い強度をもつ袋状部材にて保存時や火薬の爆発時の安定性が向上でき、確実に対暴漢用液体を暴漢に作用させることが可能になった。【選択図】図１
2007101166.tif 000002
【特許請求の範囲】
【請求項１】
一端部が閉じている筒形容器と、
前記筒形容器内に配設され、内部に対暴漢用液体が充填された袋状部材と、
前記筒形容器内の前記一端部に設けられ、前記袋状部材を発射するための火薬と前記火薬を発火させる発火手段とを備える射出手段と、
前記筒形容器内の他端部に、尖った先端部を内側に向けて配設され、前記袋状部材が通過するときに前記袋状部材を破断する破断手段と、
を有することを特徴とする護身器具。
【請求項２】
前記発火手段は擦過部と該擦過部との擦過により発火する薬品を主成分とする発火部とを備え、前記発火部及び前記擦過部の少なくとも一方を動かすことで両者の間を擦り合わせて発火する請求項１に記載の護身器具。
【請求項３】
前記発火部及び前記擦過部の少なくとも一方を動かす手段として、両者のいずれかに一端部が接続され、前記筒形容器の外部に他端部が引き出されたひも状部材を採用する請求項２に記載の護身器具。
【請求項４】
前記対暴漢用液体は瞬間接着剤及び催涙剤から選択される請求項１〜３のいずれかに記載の護身器具。
【請求項５】
前記火薬と前記袋状部材との間には前記火薬の爆発による衝撃を和らげる緩衝部材が介装されている請求項１〜４のいずれかに記載の護身器具。
【請求項６】
前記筒形容器の他端部が封止されている請求項１〜５のいずれかに記載の護身器具。
【請求項７】
前記射出手段は、前記火薬及び前記発火手段の組み合わせに代えて、圧縮状態で保持される弾性体と前記弾性体を圧縮状態から解放する解放手段とから構成される請求項１〜６のいずれかに記載の護身器具。
【発明の詳細な説明】
【技術分野】
【０００１】
本発明は、携帯性に優れ、操作も簡単な護身器具に関する。
【背景技術】
【０００２】
近年、不審者などによる凶悪事件が頻発している。従来の一般的な護身器具としては、(i)非常時に警報を発する装置、塗料などを相手に付着させる装置、催涙剤などを噴射するスプレーなど、(ii)拳銃など、(iii)スタンガン（長距離でも威力が伝達できるもの）、超音波をスポットで与えることができる装置、ＧＰＳなどを用い、位置情報を用いて警告、位置検出を行う装置、(iv)刺股などがある。
【発明の開示】
【発明が解決しようとする課題】
【０００３】
しかしながら、(i)に挙げた装置では、場合によっては即効性が期待できない場合があること、(ii)に挙げた拳銃では、日本では護身目的での所持が認められていないばかりか、相手に重大な障害を与えるおそれがあること、(iii)に挙げた装置は高価であること、(iv)に挙げた装置は携帯に不便であることなどの不都合があった。
【０００４】
護身器具として理想的な器具を考えると、形態に便利、操作が簡単且つ効果が確実であって、更に暴漢に対して必要以上のダメージを与えないものであることが望まれる。
【０００５】
本発明では上記実情に鑑み為されたものであり、操作が簡単で携帯性に優れた護身器具を提供することを解決すべき課題とする。
【課題を解決するための手段及び発明の効果】
【０００６】
上記課題を解決する目的で本発明者が鋭意検討を行った結果、催涙剤を噴射するスプレーに着目し改良することで以下の発明を完成した。すなわち、本発明の護身器具は、一端部が閉じている筒形容器と、前記筒形容器内に配設され、内部に対暴漢用液体が充填された袋状部材と、前記筒形容器内の前記一端部に設けられ、前記袋状部材を発射するための火薬と前記火薬を発火させる発火手段とを備える射出手段と、前記筒形容器内の他端部に、尖った先端部を内側に向けて配設され、前記袋状部材が通過するときに前記袋状部材を破断する破断手段と、を有することを特徴とする。
【０００７】
つまり、催涙剤などの対暴漢用液体を噴射するスプレーでは携帯性には優れるものの、液体を噴射する構成上、風向きなどによっては対暴漢用液体の噴射が目的の方向にできない場合も考えられ、その場合には風などにより液体が逆流して護身器具を使用した本人に危惧が及ぶことも考えられるので、対暴漢用液体を噴射する力を大きくすることを検討した。
【０００８】
ここで、単純に、スプレーの圧力を高くすることも考えられるが、高圧の気体を取り扱うことは困難であることや法令上の問題などにより必ずしも充分な圧力を付与することができない。
【０００９】
そこで、本発明では液体を射出・噴射する手段として火薬による爆発を利用して対暴漢用液体を射出する機構を開発した。火薬は少量でも充分な射出圧力を発生することができるからである。しかしながら、火薬は射出力に優れるので、対暴漢用液体を充填する容器にも火薬の爆発に耐えうる高い強度が必要になって、そのまま射出したのでは対暴漢用液体を暴漢に向けて作用させることができない場合が考えられた。
【００１０】
そこで、対暴漢用液体を充填する容器として充分な強度をもつ袋状部材を採用しても確実に内部の液体を噴射できるように、その袋状部材が通過する際にその袋を破断する破断手段を新たに設けることにした。その結果、高い強度をもつ袋状部材にて保存時や火薬の爆発時の安定性を向上できる上に、確実に対暴漢用液体を暴漢に作用させることが可能になった。
【００１１】
つまり、火薬の爆発により射出されるまでは高い強度をもつ袋状部材により対暴漢用液体を安定的に保持することができ、その後、射出された袋状部材は破断手段により破断することで確実に暴漢に対して対暴漢用液体を作用させることができる。
【００１２】
そして、前記発火手段は擦過部と該擦過部との擦過により発火する薬品を主成分とする発火部とを備え、前記発火部及び前記擦過部の少なくとも一方を動かすことで両者の間を擦り合わせて発火する手段を採用することができる。
【００１３】
ここで、前記発火部及び前記擦過部の少なくとも一方を動かす手段として、両者のいずれかに一端部が接続され、前記筒形容器の外部に他端部が引き出されたひも状部材を採用することが望ましい。
【００１４】
また、前記対暴漢用液体は瞬間接着剤及び催涙液から選択されることが望ましい。
【００１５】
更に、前記火薬と前記袋状部材との間には前記火薬の爆発による衝撃を和らげる緩衝部材が介装されていることが望ましい。また、前記筒形容器の他端部が封止されていることが望ましい。
【００１６】
更にまた、前記射出手段は、前記火薬及び前記発火手段の組み合わせに代えて、圧縮状態で保持される弾性体と前記弾性体を圧縮状態から解放する解放手段とから構成されることができる。バネなどの弾性体についても圧縮状態から解放することで高い速度で袋状部材を射出することができる。
【発明を実施するための最良の形態】
【００１７】
本発明の護身器具について以下詳細に説明を行う。本実施形態の護身器具は筒形容器と袋状部材と射出手段とその他必要な手段とを有する。筒形部材は筒状の部材である。筒状部材は通常の保存時や、射出手段による袋状部材の射出時の応力に耐えることができる程度の部材であれば足りる。筒形部材は一端部が閉塞している部材であることが望ましい。閉塞することで、後述する火薬の爆発による袋状部材の推進力を高くできる。
【００１８】
袋状部材は内部に対暴漢用液体が充填されている部材である。対暴漢用液体としては瞬間接着剤、催涙剤などが挙げられる。瞬間接着剤は遮光、低温低湿状態下で長期間にわたり安定であり、暴漢に付着した後、他の物に触れることで他の物との間で接着されて行動力が低下する。また、顔面に付着することで、目が開けていられなくなったりして行動ができなくなる。瞬間接着剤は低毒性なので副作用の心配がほとんど無い。
【００１９】
催涙剤は目や口などの粘膜や皮膚などに付着することで刺激を与え、暴漢を無力化できる。催涙剤としてはＣＲガス、ＣＳガス、ＣＮガスなどの一般的なものが採用できる。袋状部材は後述する射出手段による射出時の応力に耐えることができる程度の強度が必要である。また、内部に充填した対暴漢用液体に対して、化学的・物理的に安定であることが望まれる。内部に充填する対暴漢用液体の安定性を向上するためには遮光性・水分バリヤ性などを付与することが望ましい。
【００２０】
射出手段は火薬と発火手段とをもつ。火薬としては特に限定しないが、黒色火薬、無煙火薬など一般的な物が採用できる。発火手段は火薬を起爆できるものであれば特に限定しない。例えば、マッチなどのように、塩素酸カリウムや硫黄などと、赤リンや硫化アンチモンなどとの組み合わせを採用して、両者の間を擦り合わせることで発火させるものである。両者の間を擦り合わせる機構としては一方の部材にひも状部材の一端部を接続し、そのひも状部材の他端部を筒形部材の外部に引き出す機構が採用できる。外部に引き出したひも状部材の他端部を引くことで発火手段から発火する。発火手段から発火することで火薬は引火・爆発する。
【００２１】
ここで、射出手段は火薬と発火手段とからなる組み合わせに代えて、圧縮状態の弾性体とその弾性体を圧縮状態から解放する手段とから構成することができる。つまり、バネなどの弾性体を圧縮状態から解放するエネルギーを用いて袋状部材を筒形部材から射出するものである。
【００２２】
破断手段は、袋状部材の内部に充填した対暴漢用液体を散布するために、射出手段により射出された袋状部材を破断する手段である。破断手段は尖った先端部をもち、その先端部が筒形部材の内部に内側を向くように配設されている。その先端部は筒形部材内を通過する袋状部材に突き刺さり破断させることで内部に充填された対暴漢用液体を散布することになる。例えば、カミソリやカッターの刃のような先端部が尖った薄い刃が例示できる。
【００２３】
その他の手段としては射出手段と袋状部材との間に設けられる緩衝部材が挙げられる。緩衝部材は火薬の爆発による衝撃で袋状部材が破れたりしないようにする部材である。例えば、スポンジ状部材などが例示できる。また、筒形部材の他端部が封止されていることが望ましい。例えば、スポンジ状部材により封止することで破断手段や、袋状部材を保存時などに保護することができる。特に、破断手段と袋状部材との間にスポンジ状部材などの保護手段を設けることで、予期せずに袋状部材が破断手段に接することによる袋状部材の破断が防止できる。
【実施例】
【００２４】
以下、本発明の護身器具について実施例に基づき更に詳細に説明を行う。本実施例の護身器具は、図１に示すように、筒形部材１と、袋状部材６と、射出手段としての火薬９及び発火手段１０〜１４と、破断手段３と、閉塞手段４と、緩衝部材８とから構成される。
【００２５】
筒形部材１は一端部が被覆手段２により閉じている。被覆手段２は筒形部材１の一端部を閉じると共に補強する部材である。袋状部材６は筒状の袋の一端部５を結んだものであり、内部に瞬間接着剤（高粘度タイプ）が充填されている。結び目部分５が筒形部材１の一端部側に向くように配設される。
【００２６】
火薬９は黒色火薬を採用する。発火手段は硫黄粉末１０及び硫化アンチモン１１の組み合わせから構成され、ひも状部材１３の一端部に硫化アンチモン１１が塗布された部材が固定されている。ひも状部材１３を引っ張ると、発火手段１０及び１１の間が擦過されて発火する。筒形部材の一端部にはひも状部材１３が通るガイドをもつガイド部１２が配置される。ひも状部材１３の他端部にはひも状部材１３を引っ張りやすいようにタグ１４が付けられている。
【００２７】
破断手段３は筒形部材１の他端部に配設されている尖った先端部をもつ部材である。破断手段３は筒形部材１の他端部にて先端部が内側を向くように配置されている。筒形部材１の他端部には閉塞手段４が充填されている。閉塞手段４はスポンジ状部材から構成される。筒形部材１の端部には筒形部材１の内径にほぼ相当する大きさのスポンジ状部材からなる閉塞手段４を採用し、そこから袋状部材６に至るまでは細かくしたスポンジ状部材からなる閉塞手段４を採用する。細かくすることで袋状部材６の射出を妨害することが少なくなる。また、火薬９と袋状部材６との間には緩衝部材８が介装される。
【００２８】
本実施例の護身器具は以上の構成を有するので、以下の作用効果を発揮する。町中などで暴漢に出会った場合など緊急時には、片手で筒形部材１を固定した上で、もう一方の手でひも状部材１３を引っ張る。ここで、ひも状部材１３は、筒形部材１の先端（他端部）が目標となる部位（例えば、暴漢の顔面）に向くようにした状態で引っ張る。
【００２９】
すると、発火手段１０及び１１の間が擦過されて発火し、火薬９に引火・爆発する。その爆発の威力により、緩衝部材８が押し出され、次いで袋状部材６が筒形部材１の他端部から射出される。そのときに、袋状部材６が破断手段３が配置された部位を通過すると、破断手段３により袋状部材６が切り裂かれて袋状部材６の内部に充填された瞬間接着剤７が外部に噴出することになる。ここで、露出した瞬間接着剤７は、そのまま、筒形部材１の他端部を向けた目標とする方向に飛んでいき、目標（暴漢の顔面など）に当たることになる。
【００３０】
ここで、袋状部材６の射出には火薬を採用しているので、スプレーなどと比較して相対的に射出のための手段を小さくすることができる。従って、器具全体を小型化することに成功した。また、袋状部材に充分な強度を付与しているので、通常時には安定して持ち運ぶことができる。
【図面の簡単な説明】
【００３１】
【図１】実施例の護身器具の断面概略図である。
【符号の説明】
【００３２】
１…筒形部材
２…被覆手段
３…破断手段
４…閉塞手段
５…結び目
６…袋状部材
８…緩衝部材
９…火薬
１０、１１…発火手段
１２…ガイド部
１３…ひも状部材
１４…タグ
【図１】
2007101166.tif 000003